(57)【要約】      （修正有）【課題】体積を小さくして携帯性を良くし、何度も洗浄することが可能である箸の構造を提供する。【解決手段】互いに対応する二つの箸身部を有し、他の部品に螺着し結合するために、前記箸身部の両端には螺設部とねじ穴とがそれぞれ設けてあり、前記箸身部の両端を貫通するように収容穴が開設され、前記収容穴の前端には螺旋部が形成してあり、前記収容穴が箸本体を収容可能であり、前記箸本体の端部には前記収容穴の螺旋部に応じて螺旋段が形成してあり、また、前記箸身部には嵌止凹部が設けてあり、前記嵌止凹部が蓋に設けられた嵌止凸部と嵌止して位置決めが可能である。【選択図】図１
0003123419.tif 000002
【実用新案登録請求の範囲】
【請求項１】
主に、互いに対応する二つの箸身部を有し、
他の部品に螺着し結合するために、前記箸身部の両端には螺設部とねじ穴とがそれぞれ設けてあり、
前記箸身部の両端を貫通するように収容穴が開設され、
前記収容穴の前端には螺旋部が形成してあり、
前記収容穴が箸本体を収容可能であり、
前記箸本体の端部には前記収容穴の螺旋部に応じて螺旋段が形成してあり、
前記箸身部には嵌止凹部が設けてあり、
前記嵌止凹部が蓋に設けられた嵌止凸部と嵌止し位置決め可能であることを特徴とする、
箸の構造。
【請求項２】
前記蓋には延長段が延在してあり、前記延長段にはブッシュが嵌めてあることを特徴とする、請求項１に記載の箸の構造。
【請求項３】
前記箸身部と前記箸本体の間には連接段が設けてあり、前記連接段は前記箸身部の収容穴に収容することが可能であり、前記連接段は、その一端にある螺設部により前記収容穴の前端にある螺旋部と螺合し位置決めされ、その内部には前記箸本体を収容するための収容穴が開設してあり、前記収容穴が前記連接段の両端を貫通し、前記収容穴は、その前端にある螺設部により前記箸本体にある螺旋段と螺合し位置決められることを特徴とする、請求項１に記載の箸の構造。
【考案の詳細な説明】
【技術分野】
【０００１】
本考案は、箸の構造に係り、特に、体積が小さくになり、携帯性が良くなり、重複に洗浄可能になる箸の構造に関するものである。
【背景技術】
【０００２】
目下、商工社会の発展に伴って、外食する国民がどんどん増える一方、食堂などで使用する食器（例えば箸や碗など）は、個人衛生および洗浄不要の配慮から、ソレッキリ式（使い捨て式）の食器を使用する機会が多くになった。
【考案の開示】
【考案が解決しようとする課題】
【０００３】
しかしながら、使い捨て式の箸には次のような欠点があった。
（イ）使い捨て式箸の素材は竹や木材を使用することが一般であるが、竹や木材の加工は面倒であり、且つ竹や木を大量に伐採すると、環境が悪化する。
【０００４】
（ロ）使い捨て式箸の保存期間を長くしてばい菌の成長を抑制するために、製造過程で、使い捨て式箸を二酸化硫黄の溶液に浸す工程がある。
ユーザーがこのような使い捨て式箸を使用すると、二酸化硫黄も一緒に口にすることになるから、ユーザーの健康に悪影響を与える。
【０００５】
（ハ）使い捨て式箸は、使用した後に廃棄されるものであるので、廃棄物処理の作業量が膨大になる。
【課題を解決するための手段】
【０００６】
上記欠点を解決するためになされた本願の第１考案は、主に、互いに対応する二つの箸身部を有し、他の部品に螺着し結合するために、前記箸身部の両端には螺設部とねじ穴とがそれぞれ設けてあり、前記箸身部の両端を貫通するように収容穴が開設され、前記収容穴の前端には螺旋部が形成してあり、前記収容穴が箸本体を収容可能であり、前記箸本体の端部には前記収容穴の螺旋部に応じて螺旋段が形成してあり、また、前記箸身部には嵌止凹部が設けてあり、前記嵌止凹部が蓋に設けられた嵌止凸部と嵌止し位置決め可能であることを特徴とする箸の構造であることを要旨としている。
【０００７】
本願の第２考案では、前記蓋には延長段が延在してあり、前記延長段にはブッシュが嵌めてあることを特徴とする、前記第１考案に記載の箸の構造であることを要旨としている。
【０００８】
本願の第３考案では、前記箸身部と前記箸本体の間には連接段が設けてあり、前記連接段は前記箸身部の収容穴に収容されることが可能であり、前記連接段は、その一端にある螺設部により前記収容穴の前端にある螺旋部と螺合し位置決められ、その内部には前記箸本体を収容するための収容穴が開設してあり、前記収容穴が前記連接段の両端を貫通し、なお、前記収容穴は、その前端にある螺設部により前記箸本体にある螺旋段と螺合し位置決められることを特徴とする前記第１考案に記載の箸の構造であることを要旨としている。
【考案の効果】
【０００９】
本考案に係る箸の構造によれば、次のような効果がある。
（イ）本考案の箸は竹や木材で作製されたものではないので、竹や木を大量に伐採することはない。
【００１０】
（ロ）本考案の箸は重複に洗浄して使用することが可能であるので、ユーザーは二酸化硫黄などの化学物質を食べる恐れがなくなる。
【００１１】
（ハ）本考案の箸は重複に洗浄して使用することが可能であるので、廃棄物処理の作業量は低減になる。
【考案を実施するための最良の形態】
【００１２】
以下、添付図面を参照して本考案の好適な実施の形態を詳細に説明する。
【００１３】
まず、図１と図２を参照する。本考案の箸の構造は、主に、互いに対応する二つの箸身部１，２を有し、他の部品に螺着し結合するために、前記箸身部１，２の両端には螺設部１１とねじ穴２１とがそれぞれ設けてあり、前記箸身部１，２の両端を貫通するように収容穴１２，２２が開設され、前記収容穴１２，２２の前端には螺旋部１２１，２２１が形成してあり、前記収容穴１２，２２が箸本体１３，２３を収容可能であり、前記箸本体１３，２３の端部には前記収容穴１２，２２の螺旋部１２１，２２１に応じて螺旋段１３１，２３１が形成してあり、また、前記箸身部１，２には嵌止凹部１４，２４が設けてあり、前記嵌止凹部１４，２４が蓋１５，２５に設けられた嵌止凸部１５１，２５１と嵌止し位置決め可能であり、なお、前記蓋１５，２５には挟止具１５２，２５２が設けてあり、且つ前記蓋１５，２５には装飾用蓋１５３，２５３が被ってある。
【００１４】
そうすると、通常状態では、箸身部１，２の螺設部１１をねじ穴２１に螺合し、箸本体１３，２３を箸身部１，２にある収容穴１２，２２内に入れて、前記蓋１５，２５で箸身部１，２を被り、これにより、前記蓋１５，２５にある挟止具１５２，２５２によって本考案の箸をユーザーのポケットに挟止すると、ユーザーは本考案の箸を携帯することができる。
【００１５】
また、本考案の使用方法は、図３に示すように、箸身部１，２の螺設部１１をねじ穴２１から離脱させて、蓋１５，２５で箸身部１，２の端部を被って、蓋１５，２５に設けられた嵌止凸部１５１，２５１を嵌止凹部１４，２４に嵌止し位置決めて、箸本体１３，２３を箸身部１，２の前端から外側へ引き出して、箸本体１３，２３の螺旋段１３１，２３１を収容穴１２，２２の前端にあるねじ部１２１に螺合し位置決めると、箸として使用することができる。
【００１６】
また、図４と図５に示すように、本考案では、蓋１５（両側が対応するが、ここで一側だけ表示し）には延長段１５４が延在してあり、前記延長段１５４にはブッシュ１５５が嵌めてあり、これにより、箸の全体長さがもっと長くなる。
【００１７】
また、図６を参照する。本考案では、箸身部１，２と箸本体１３，２３の間には連接段１６，２６が設けてあり、前記連接段１６，２６は前記箸身部１，２の収容穴１２，２２に収容されることが可能であり、前記連接段１６，２６は、その一端にある螺設部１６１，２６１により前記収容穴１２，２２の前端にある螺旋部１２１，２２１と螺合し位置決められ、その内部には前記箸本体１３，２３を収容するための収容穴１６２，２６２が開設してあり、前記収容穴１６２，２６２が前記連接段１６，２６の両端を貫通し、なお、前記収容穴は１６２，２６２、その前端にある螺設部１６３，２６３により前記箸本体１３，２３にある螺旋段１３１，２３１と螺合し位置決められ、これにより、箸の全体長さがもっと長くなる。
【図面の簡単な説明】
【００１８】
【図１】本考案の分解斜視図である。
【図２】本考案の組合状態を示す断面図である。
【図３】本考案の使用状態を示す概略図である。
【図４】本考案の別の実施例の側面断面図である。
【図５】本考案の別の実施例の使用状態を示す概略図である。
【図６】本考案の更に別の実施例の分解斜視図である。
【符号の説明】
【００１９】
１        箸身部                  １１      螺設部
１２      収容穴                  １２１    螺旋部
１３      箸本体                  １３１    螺旋段
１４      嵌止凹部                １５      蓋
１５１    嵌止凸部                １５２    挟止具
１５３    装飾用蓋                １５４    延長段
１５５    ブッシュ                １６      連接段
１６１    螺設部                  １６２    収容穴
１６３    螺設部                  ２        箸身部
２１      ねじ穴                  ２２      収容穴
２２１    螺旋部                  ２３      箸本体
２３１    螺旋段                  ２４      嵌止凹部
２５      蓋                      ２５１    嵌止凸部
２５２    挟止具                  ２５３    装飾用蓋
２６      連接段                  ２６１    螺設部
２６２    収容穴                  ２６３    螺設部
【図１】
0003123419.tif 000003
【図２】
0003123419.tif 000004
【図３】
0003123419.tif 000005
【図４】
0003123419.tif 000006
【図５】
0003123419.tif 000007
【図６】
0003123419.tif 000008